(57)【要約】【課題】特定の機器を特定の映像入力端子に接続した場合に限って映像を投影することによって、盗難を抑止することが可能なプロジェクタを提供する。【解決手段】プロジェクタ１は、映像入力端子１５ａ、１５ｂ及び１５ｃのうちから一つを選択的に切替える入力切替部１６と、外部映像機器２から与えられた入力信号のパラメータデータを出力する映像処理部１７、映像入力端子及びパラメータデータを記憶するＥＥＰＲＯＭ１９ｃを有する判定部１９を備えている。判定部１９は、外部映像機器２が接続された映像入力端子及び外部映像機器２から与えられた入力信号のパラメータデータとＥＥＰＲＯＭ１９ｃに記憶されたパラメータデータとが一致するか否かを判定し、判定結果に応じて投射デバイス制御部１８を制御し、外部映像機器２の映像の投射を停止させる。【選択図】図１
2008170809.tif 000002
【特許請求の範囲】
【請求項１】
映像入力端子と、該映像入力端子に入力された入力信号のパラメータデータを出力するパラメータデータ出力手段とを備え、該パラメータデータ出力手段が出力するパラメータデータに応じて映像を投射するプロジェクタにおいて、
前記パラメータデータを記憶する記憶手段と、
前記パラメータデータが前記記憶手段に記憶されている状態で前記映像入力端子に前記入力信号が入力された場合に、前記パラメータデータ出力手段が出力するパラメータデータと前記記憶手段に記憶されたパラメータデータとが一致するか否かを判定する判定手段と、
該判定手段が一致しないと判定した場合に、映像の投射を停止する停止手段と
を備えることを特徴とするプロジェクタ。
【請求項２】
前記パラメータデータは、前記入力信号の垂直同期周波数、水平同期周波数、垂直及び水平同期信号の夫々の極性及び幅、垂直及び水平同期信号の発生から映像信号の始点までの夫々の時間又は映像信号の始点から終点までの時間を示すデータのうち少なくとも１つを含むことを特徴とする請求項１に記載のプロジェクタ。
【請求項３】
前記停止手段の動作を有効又は無効に切替える切替手段を備えることを特徴とする請求項１又は２に記載のプロジェクタ。
【請求項４】
前記記憶手段は、報知画面を記憶しており、
前記判定手段が一致しないと判定した場合に、前記記憶部に記憶された報知画面を読出して投射する手段を備えることを特徴とする請求項１乃至３のいずれか１つに記載のプロジェクタ。
【請求項５】
複数の映像入力端子のうちから一の映像入力端子を、前記パラメータデータ出力手段に接続するよう選択的に切替える入力切替部とを備え、
前記記憶手段は、前記パラメータデータを記憶する場合に、選択された映像入力端子と共に記憶するよう構成してあり、
前記判定手段は、映像入力端子に入力信号が入力された場合に、入力された映像入力端子と前記記憶手段に記憶された映像入力端子とが一致するか否かを判定するよう構成してあること
を特徴とする請求項１乃至４のいずれか１つに記載のプロジェクタ。
【発明の詳細な説明】
【技術分野】
【０００１】
本発明は、盗難を抑止することが可能なプロジェクタに関する。
【背景技術】
【０００２】
近年広く使われているプロジェクタは、高額及び比較的小型軽量であるために、可搬式又は設置式に関わらず盗難される場合が多い。盗難を抑止するために、施錠具を設け、設置場所に備えられた取付具とプロジェクタの施錠具とを索条体で連結して移動を妨げるプロジェクタがある。また、パスワード認証、又は暗号鍵が書き込まれたＩＤカード若しくはＵＳＢキー等による鍵認証によって操作の受付を制限し、盗難時の商品価値を下げることにより、盗難を抑止するプロジェクタがある（特許文献１、特許文献２及び特許文献３）。
【特許文献１】特開２００４−７７９６７号公報
【特許文献２】特開２００５−１８１６０６号公報
【特許文献３】特開２００５−３５１９９６号公報
【発明の開示】
【発明が解決しようとする課題】
【０００３】
しかしながら、特許文献１乃至３に記載された方法では、索条体で連結する手間が生じるという問題点、パスワードを入力する手間が生じるという問題点、鍵の紛失又は盗難を防ぐためにＩＤカード又はＵＳＢキー等の鍵の管理が必要であるという問題点がある。
【０００４】
本発明は斯かる事情に鑑みてなされたものであり、入力信号のパラメータデータと記憶手段に記憶されているパラメータデータとが一致するか否かを判定する判定手段と、判定手段が一致しないと判定した場合に、映像の投射を停止する停止手段とを備えることにより、特定の外部映像機器をプロジェクタに接続した場合に限って映像を投影し、盗まれた場合に商品価値を下げて盗難の抑止が可能となるプロジェクタを提供することを目的とする。
【０００５】
本発明の他の目的は、判定手段が一致するか否かの判定を行うパラメータデータを入力信号の垂直同期周波数、水平同期周波数、垂直及び水平同期信号の夫々の極性及び幅、垂直及び水平同期信号の発生から映像信号の始点までの夫々の時間、又は映像信号の始点から終点までの時間のデータのうち少なくとも１つを含むことにより、パスワード入力又は鍵等を必要とせずに映像を投射する外部映像機器を特定し、利便性を損なうこと無く盗難の抑止が可能となるプロジェクタを提供することにある。
【０００６】
本発明の他の目的は、停止手段の動作を有効又は無効に切替える切替手段を備えることにより、盗まれる可能性が低い場所に設置されており、不特定の外部映像機器が接続される場合に、停止手段の動作を無効に切替えて常に映像の投射を行い、利便性を向上させることが可能となるプロジェクタを提供することにある。
【０００７】
本発明の他の目的は、判定手段が一致しないと判定した場合に、記憶部に記憶されている報知画面を読出して投射する手段を備えることにより、停止手段の動作が有効に切替えられていることを設置場所において報知し、盗難を抑止することが可能なプロジェクタを提供することにある。
【０００８】
本発明の他の目的は、複数の映像入力端子の夫々を選択的に切替える入力切替部と、選択された映像入力端子を記憶する記憶手段と、選択された映像入力端子が記憶手段に記憶された映像入力端子と一致するか否かを判定する判定手段とを備えることにより、外部映像機器を特定の映像入力端子に接続した場合に限って映像の投影を行い、盗難を抑止することが可能なプロジェクタを提供することにある。
【課題を解決するための手段】
【０００９】
本発明に係るプロジェクタは、映像入力端子と、該映像入力端子に入力された入力信号のパラメータデータを出力するパラメータデータ出力手段とを備え、該パラメータデータ出力手段が出力するパラメータデータに応じて映像を投射するプロジェクタにおいて、前記パラメータデータを記憶する記憶手段と、前記パラメータデータが前記記憶手段に記憶されている状態で前記映像入力端子に前記入力信号が入力された場合に、前記パラメータデータ出力手段が出力するパラメータデータと前記記憶手段に記憶されたパラメータデータとが一致するか否かを判定する判定手段と、該判定手段が一致しないと判定した場合に、映像の投射を停止する停止手段とを備えることを特徴とする。
【００１０】
本発明にあっては、映像の投射を行う外部映像機器を登録するために、登録する外部映像機器から与えられた入力信号のパラメータデータを検出して記憶手段に記憶する。判定手段は、記憶手段にパラメータデータが記憶されている状態で入力信号が入力された場合、入力信号から検出されたパラメータデータと記憶手段に記憶されているパラメータデータとが一致するか否かを判定する。停止手段は、判定手段が一致しないと判定した場合に、映像の投射を停止する。
【００１１】
本発明に係るプロジェクタは、前記パラメータデータは、前記入力信号の垂直同期周波数、水平同期周波数、垂直及び水平同期信号の夫々の極性及び幅、垂直及び水平同期信号の発生から映像信号の始点までの夫々の時間又は映像信号の始点から終点までの時間を示すデータのうち少なくとも１つを含むことを特徴とする。
【００１２】
本発明にあっては、記憶手段には、入力信号の垂直同期周波数、水平同期周波数、垂直及び水平同期信号の夫々の極性及び幅、垂直及び水平同期信号の発生から映像信号の始点までの夫々の時間又は映像信号の始点から終点までの時間を示すデータのうち少なくとも１つを含むパラメータデータが記憶されている。判定手段は、パラメータデータが記憶されている状態で入力信号が入力された場合に、入力信号のパラメータデータを構成する夫々のデータと記憶されているパラメータデータを構成する夫々のデータとが一致するか否かを判定し、判定結果に応じて、映像の投影を停止させる。
【００１３】
本発明に係るプロジェクタは、前記停止手段の動作を有効又は無効に切替える切替手段を備えることを特徴とする。
【００１４】
本発明にあっては、切替手段は、判定手段の判定結果に応じて映像の投射を停止させる場合に、停止手段の動作を有効に切替え、判定結果に関わらず常に映像の投射を行う場合に、前記停止手段の動作を無効に切替える。
【００１５】
本発明に係るプロジェクタは、前記記憶手段が、報知画面を記憶しており、前記判定手段が一致しないと判定した場合に、前記記憶部に記憶された報知画面を読出して投射する手段を備えることを特徴とする。
【００１６】
本発明にあっては、判定手段が一致しないと判定した場合、記憶部に記憶された報知画面が読み出されて投射され、報知される。
【００１７】
本発明に係るプロジェクタは、複数の映像入力端子のうちから一の映像入力端子を、前記パラメータデータ出力手段に接続するよう選択的に切替える入力切替部とを備え、前記記憶手段は、前記パラメータデータを記憶する場合に、選択された映像入力端子と共に記憶するよう構成してあり、前記判定手段は、映像入力端子に入力信号が入力された場合に、入力された映像入力端子と前記記憶手段に記憶された映像入力端子とが一致するか否かを判定するよう構成してあることを特徴とする。
【００１８】
本発明にあっては、複数の映像入力端子のうちから、一の映像入力端子をパラメータデータ出力手段に接続するよう選択的に切替える入力切替部を備え、選択された映像入力端子が記憶手段に記憶された映像入力端子と一致するか否かを判定し、判定結果に応じて映像の投射を停止させて、特定の映像入力端子に接続された外部映像機器に限って映像の投射を行う。
【発明の効果】
【００１９】
本発明にあっては、入力信号のパラメータデータと記憶手段に記憶されているパラメータデータとが一致するか否かを判定する判定手段と、判定手段が一致しないと判定した場合に、映像の投射を停止する停止手段とを備えることにより、特定の外部映像機器をプロジェクタに接続した場合に限って映像の投影を行う。これにより、プロジェクタが盗まれた場合にプロジェクタの商品価値が下がる。従って、映像の投影が行われる外部映像機器が特定されていることを記載したシール部材をプロジェクタ本体の表面に貼付する、又はその旨を広告等で報知して盗難を抑止することが可能となる。
【００２０】
本発明にあっては、判定手段が一致するか否かを判定するパラメータデータは、入力信号の垂直同期周波数、水平同期周波数、垂直及び水平同期信号の夫々の極性及び幅、垂直及び水平同期信号の発生から映像信号の始点までの夫々の時間又は映像信号の始点から終点までの時間を示すデータを含んで構成されるため、パスワード入力又は鍵の管理等を必要とせず、利便性を損なわずに映像の投射を行う外部映像機器を特定し、盗難の抑止が可能となる。
【００２１】
本発明にあっては、判定結果に応じて映像の投射を停止させる場合に、停止手段の動作を有効に切り替え、判定結果に関わらず映像を常に投射させる場合に、停止手段の動作を無効に切替える切替手段を備えることにより、盗まれる可能性が低い場所に設置されており、不特定の外部映像機器が接続される場合に、切替手段は、停止手段を無効に切替えて利便性を向上させたプロジェクタを得ることが可能となる。
【００２２】
本発明にあっては、判定手段が一致しないと判定した場合に、記憶部に記憶されている報知画面を読出して投射する手段を備えることにより、停止手段の動作が有効に切替えられていることを設置場所において報知し、設置場所からの盗難を抑止することが可能となる。
【００２３】
本発明にあっては、複数の映像入力端子のうち、外部映像機器が接続された一の映像入力端子が記憶手段に記憶された映像入力端子と一致するか否かを判定し、判定結果に応じて映像の投射を停止させる判定手段を備えることにより、映像の投影を行う映像入力端子を特定することにより、プロジェクタが盗まれた場合にプロジェクタの商品価値が下がり、盗難を抑止することが可能となる等、本発明は優れた効果を奏する。
【発明を実施するための最良の形態】
【００２４】
以下、本発明をその実施の形態を示す図面を参照して具体的に説明する。図１は、本発明におけるプロジェクタの構成を示すブロック図である。図中の白抜矢印は光を示す。プロジェクタ１は、キセノンランプ又は超高圧水銀ランプ等の光源１１を備え、光源１１から放射される白色光は、カラーフィルタ、レンズ又はプリズム等で構成される集光光学系１２に入射して集光、偏光及び色分離等が行われＲＧＢ各色の光が生成される。集光光学系１２により生成されたＲＧＢ各色の光は、液晶パネル又はＤＭＤ（Ｄｉｇｉｔａｌ  Ｍｉｃｒｏｍｉｒｒｏｒ  Ｄｅｖｉｃｅ）等を一又は複数個用いてなる平板上の投射デバイス１３に投射される。投射デバイス１３は、投射されるＲＧＢ各色の光に同期して、ＲＧＢ各色の画像を形成し、画像を形成した投射デバイス１３に対してＲＧＢ各色の光が反射又は透過する。反射又は透過したＲＧＢ各色の画像を有するＲＧＢ各色の光は、投射光学系１４でＲＧＢ各色の画像が拡大されて外部のスクリーン３に投射される。
【００２５】
プロジェクタ１は、パーソナルコンピュータ又は映像再生装置等の外部映像機器２から映像信号及び同期信号からなる入力信号が入力される映像入力端子１５ａ、１５ｂ及び１５ｃを備える。映像入力端子１５ａ、１５ｂ及び１５ｃは、ＲＧＢ入力端子、Ｓ−ＶＩＤＥＯ入力端子、コンポジットビデオ入力端子及びＤＶＩ入力端子等であり、接続される外部映像機器２に応じて選択される。映像入力端子１５ａ、１５ｂ及び１５ｃには、それぞれ入力端子番号１、２及び３が夫々割り当てられている。入力切替部１６は、映像入力端子１５ａ、１５ｂ及び１５ｃのいずれか１つを選択的に映像処理部１７に接続すると共に、選択した入力端子番号を判定部１９に出力する。入力切替部１６は、操作部２０とも接続されており、操作部２０が受付けた操作によって映像入力端子を選択的に接続することが可能となるように構成されている。
【００２６】
映像処理部１７は、入力信号のパラメータデータを検出して判定部（判定手段）１９に出力し、本発明におけるパラメータデータ出力手段として機能すると共に、入力信号に対してＡ／Ｄ変換、解像度変換及び表示位置補正を行い、映像デジタル信号として投射デバイス制御部１８に出力する。複数の映像入力端子は、夫々異なる規格の映像入力端子で構成される例に限るものでは無く、同規格の映像入力端子が含まれており、夫々に異なる入力端子番号が割り当てられている場合でも良い。
【００２７】
投射デバイス制御部１８は、映像処理部１７から与えられる映像デジタル信号、すなわち外部映像機器２からの入力信号に基づく映像画面又は後述する判定部１９から与えられる無地の画面からなるミュート画面のいずれか１つを選択して投射デバイス１３に出力するように判定部１９により制御される。投射デバイス制御部１８は、映像画面及びミュート画面を切替えることにより本発明における映像の投射を停止する手段（停止手段）として機能し、停止手段の機能の有効／無効を切替制御する判定部１９は、本発明における切替手段としても機能する。ミュート画面は、ロゴ等を表示した画面であっても良い。投射デバイス制御部１８は、図示しないＯＳＤ（Ｏｎ−Ｓｃｒｅｅｎ  Ｄｉｓｐｌａｙ）回路を備えている。ＯＳＤ回路は、投射デバイス制御部１８が投射デバイス１３に出力する映像画面又はミュート画面に判定部１９から与えられた報知画面等を重畳して投射デバイス１３に出力し、ＯＳＤ表示を行う。判定部１９は、ＣＰＵ１９ａ並びに、記憶手段としてＲＯＭ１９ｂ及び書換え可能な不揮発性メモリであるＥＥＰＲＯＭ１９ｃ等で構成されている。
【００２８】
ＲＯＭ１９ｂには、ＣＰＵ１９ａが実行するプログラム並びに、非認証報知画面、パスワードエラー報知画面、パスワード変更画面、パスワード入力画面、接続確認画面及び削除報知画面等の画面データが記憶されている。また、ＥＥＰＲＯＭ１９ｃには、パラメータデータ、入力端子番号及びパスワード等が記憶されている。判定部１９は、入力信号のパラメータデータ及び選択されている入力端子番号とＥＥＰＲＯＭ１９ｃに記憶されている登録機器のパラメータデータ及び入力端子番号とを照合して一致する登録機器が存在するか否かを判定する。判定部１９は、判定結果に応じて投射デバイス制御部１８を制御する。判定部１９は、判定を行う認証モード及び判定を行わない通常モードとを切替可能に構成されており、認証モードが選択されている場合、判定結果に応じて映像の投影を停止すべく投射デバイス制御部１８を制御する。判定部１９は、通常モードが選択されている場合、判定結果に関わらず、常に映像を投射させるべく投射デバイス制御部１８を制御する。
【００２９】
また、判定部１９は、図示しないパスワードの変更を受付ける変更キー、機器の登録を受付ける登録キー、登録機器の削除を受付ける削除キー、認証／通常モードの切替を受付けるモードキー及びテンキー等を備えた操作部２０と接続されている。判定部１９は、プロジェクタ１の図示しない電源スイッチにも接続されており、電源スイッチのオン／オフ状態の切替を検知する。図２は、入力信号に含まれる同期信号及び映像信号の対応関係を示すタイミングチャートである。図中の横軸は、時間であり、入力信号に含まれる垂直同期信号、水平同期信号及び映像信号を上から順に図２（ａ）、（ｂ）及び（ｃ）に示す。図２（ａ）中のｔv1は、垂直同期信号のパルス幅を、図２（ｂ）中のｔh1は、水平同期信号のパルス幅を示す。図２（ｃ）中のｔv2は、垂直同期信号のパルスの終端部から映像信号の始点までの時間、すなわち垂直バックポーチを示す。
【００３０】
図２（ｃ）中のｔh2は、水平同期信号のパルスの終端部から映像信号の始点までの時間、すなわち水平バックポーチを、ｔs は、映像信号の始点から終端までの時間、すなわち映像信号区間をそれぞれ示す。また、図２に示す例では、垂直同期信号及び水平同期信号のパルスは、共に負極性となっている。ここで、垂直同期信号の周波数すなわち垂直同期周波数をｆv 、水平同期信号の周波数すなわち水平同期周波数をｆh とする。映像処理部１７は、映像信号の垂直同期周波数ｆv 、水平同期周波数ｆh 、垂直同期信号のパルス幅ｔv1、水平同期信号のパルス幅ｔh1、垂直及び水平同期信号の夫々の極性、垂直バックポーチｔv2、水平バックポーチｔh2並びに映像信号区間ｔs からなるパラメータデータを検出する。
【００３１】
図３は、映像処理部１７の構成を示すブロック図である。映像処理部１７は、信号入力３０、Ａ／Ｄ（Ａｎａｌｏｇ／Ｄｅｇｉｔａｌ）変換部３１、解像度変換部３２、表示位置補正部３３、同期分離部３４、ＰＬＬ（Ｐｈａｓｅ−Ｌｏｃｋｅｄ  Ｌｏｏｐ）３５、バックポーチ検出部３６、映像信号区間検出部３７、同期極性検出部３８、同期周波数検出部３９、同期幅検出部４０、映像デジタル信号出力４１及びパラメータデータ出力４２で構成される。信号入力３０に与えられた入力信号は、Ａ／Ｄ変換部３１及び同期分離部３４に与えられる。同期分離部３４は、与えられた入力信号から垂直及び水平同期信号を夫々分離し、バックポーチ検出部３６、映像信号区間検出部３７、同期極性検出部３８、同期周波数検出部３９、同期幅検出部４０及びＰＬＬ３５に与える。同期極性検出部３８は、与えられた垂直及び水平同期信号の夫々の極性を検出してパラメータデータ出力４２及び解像度変換部３２に出力する。
【００３２】
同期周波数検出部３９は、与えられた垂直及び水平同期信号の垂直同期周波数ｆv 及び水平同期周波数ｆh を夫々検出して、パラメータデータ出力４２及び解像度変換部３２に出力する。同期幅検出部４０は、与えられた垂直及び水平同期信号の垂直同期信号幅ｔv1及び水平同期信号幅ｔh1を夫々検出して、パラメータデータ出力４２及び解像度変換部３２に出力する。ＰＬＬ３５は、与えられた垂直及び水平同期信号に夫々同期した同期信号をＡ／Ｄ変換部３１に出力する。Ａ／Ｄ変換部３１は、信号入力３０から与えられた入力信号をＰＬＬ３５から与えられた同期信号に同期してサンプリングを行い、デジタル信号に変換して解像度変換部３２、バックポーチ検出部３６及び映像信号区間検出部３７に出力する。バックポーチ検出部３６は、同期分離部３４から与えられた垂直及び水平同期信号並びにＡ／Ｄ変換部３１から与えられたデジタル信号から垂直バックポーチｔv2及び水平バックポーチｔh2を検出し、パラメータデータ出力４２及び表示位置補正部３３に出力する。
【００３３】
映像信号区間検出部３７は、同期分離部３４から与えられた垂直及び水平同期信号並びにＡ／Ｄ変換部３１から与えられたデジタル信号から映像信号区間ｔs を検出し、パラメータデータ出力４２及び表示位置補正部３３に出力する。解像度変換部３２は、Ａ／Ｄ変換部３１から与えられたデジタル信号に対して、同期極性検出部３８、同期周波数検出部３９及び同期幅検出部４０から夫々与えられた垂直／水平同期信号の極性、垂直同期周波数ｆv 、水平同期周波数ｆh 、垂直同期幅ｔv1及び水平同期幅ｔh1に基づき投射デバイス１３の解像度と一致するように解像度変換を行い、表示位置補正部３３に出力する。
【００３４】
表示位置補正部３３は、解像度変換部３２から与えられたデジタル信号を、バックポーチ検出部３６から夫々与えられた垂直バックポーチｔv2及び水平バックポーチｔh2並びに映像信号区間検出部３７から与えられた映像信号区間ｔs に基づいて、映像信号が投射デバイス１３の形成可能な領域内に収まるように表示位置を補正して得た映像デジタル信号を、映像デジタル信号出力４１に出力する。パラメータデータ出力４２は、判定部１９と接続されており、各検出部によって検出されたデータからなるパラメータデータが、判定部１９により読み取られる。また、映像デジタル信号出力４１は、投射デバイス制御部１８に接続されており、投射デバイス制御部１８に映像デジタル信号が与えられる。
【００３５】
図４は、パラメータデータ及び入力端子番号のフォーマット例を示す説明図である。パラメータデータ及び入力端子番号は、判定部１９のＥＥＰＲＯＭ１９ｃに記憶される。図４（ａ）及び（ｂ）には、夫々３種類の外部映像機器すなわち登録機器１、２及び３が記憶されており、異なるフォーマット例を示している。図４（ａ）は、映像処理部１７が検出した垂直同期周波数ｆv 、水平同期周波数ｆh 、垂直同期極性、水平同期極性、垂直同期幅ｔv1、水平同期幅ｔh1、垂直バックポーチｔv2、水平バックポーチｔh2及び入力切替部１６から出力された入力端子番号から構成されている。垂直同期周波数ｆv 、垂直同期幅ｔv1及び垂直バックポーチｔv2の夫々は、映像処理部１７の同期周波数検出部３９によって周波数を、同期幅検出部４０によって時間幅を、バックポーチ検出部３６によってバックポーチの時間を検出する例を示しているが、水平同期信号を基準に夫々をカウントして得たライン数で表される垂直同期ライン数、垂直同期幅ライン数及び垂直バックポーチライン数として図４（ｂ）で示すフォーマット例でＥＥＰＲＯＭ１９ｃに記憶しても良い。図４に示す例では、入力端子番号１に対応して登録機器１及び登録機器２が登録されており、パラメータデータのうち水平同期周波数ｆh のみ、夫々、４８．３６ｋＨｚ及び４８．４８ｋＨｚと異なっている。また、入力端子番号２に対応して登録機器３が登録されている。また、映像信号区間ｔs をパラメータデータに含めても良い。
【００３６】
図５及び図６は、判定処理の手順を示すフローチャートである。判定処理は、プロジェクタ１の電源スイッチがオンにされた場合に、判定部１９のＣＰＵ１９ａにより実行される。判定部１９は、映像処理部１７から出力されるパラメータデータを読み取る（ステップＳ１）。判定部１９は、読み取ったパラメータデータを基にして入力信号がプロジェクタ１に入力されているか否かを判定する（ステップＳ２）。判定部１９は、入力信号が入力されていると判定した場合（ステップＳ２でＹＥＳ）、認証モードに選択されているか否かを判定する（ステップＳ３）。判定部１９は、認証モードが選択されていると判定した場合（ステップＳ３でＹＥＳ）、入力切替部１６から出力される入力端子番号を読み取る（ステップＳ４）。判定部１９は、読み取った入力端子番号がＥＥＰＲＯＭ１９ｃに記憶されている入力端子番号と一致するか否かを判定する（ステップＳ５）。
【００３７】
判定部１９は、読み取った入力端子番号がＥＥＰＲＯＭ１９ｃに記憶されている入力端子番号と一致すると判定した場合（ステップＳ５でＹＥＳ）、映像処理部１７から読み取ったパラメータデータが、ＥＥＰＲＯＭ１９ｃに記憶されている該当する入力端子番号に対応した登録機器のパラメータデータと一致するか否かを判定する（ステップＳ６）。判定部１９は、登録機器のパラメータデータと一致する判定した場合（ステップＳ６でＹＥＳ）、投射デバイス制御部１８を制御して外部映像機器２から与えられた入力信号による映像画面を投射デバイス１３に出力させて映像を投射させる（ステップＳ７）。判定部１９は、認証モードに選択されているか否かを判定するステップＳ３において選択されていないと判定した場合（ステップＳ３でＮＯ）、記憶されている入力端子番号と一致するか否かを判定するステップＳ５において一致しないと判定した場合（ステップＳ５でＮＯ）及び登録機器のパラメータデータと一致するか否かを判定するステップＳ６において一致しないと判定した場合（ステップＳ６でＮＯ）、ミュート画面を投射デバイス制御部１８に出力しミュート画面を投射させて、外部映像機器２から与えられた入力信号による映像の投射を停止させる（ステップＳ１０）。
【００３８】
ミュート画面を投射させて入力信号による映像の投射を停止させる例を示したが、これに限るものではなく、光源１１を消灯することにより、映像の投射を停止させても良い。判定部１９は、登録機器と一致せず認証できないために映像を停止させた旨を報知する非認証報知画面の画面データをＲＯＭ１９ｂから読出して投射デバイス制御部１８に出力し、ミュート画面にＯＳＤ表示させて投射させる（ステップＳ１１）。図７は、非認証報知画面の例を示す模式図である。図７に示すようにメッセージ「接続された機器は認証できません。」が表示されている。判定部１９は、入力信号がプロジェクタ１に入力されているか否かを判定するステップＳ２において入力されていないと判定した場合（ステップＳ２でＮＯ）、操作部２０のキーの押下を検出したか否かを判定する（ステップＳ８）。また、非認証報知画面表示を行うステップＳ１１の次、及び映像投射を行うステップＳ７の次にも、操作部２０のキーの押下を検出したか否かを判定する（ステップＳ８）。
【００３９】
判定部１９は、キーの押下を検出していないと判定した場合（ステップＳ８でＮＯ）、電源スイッチがオフにされたか否かを判定する（ステップＳ９）。判定部１９は、電源スイッチがオフにされていないと判定した場合（ステップＳ９でＮＯ）、パラメータデータの読取を行うステップＳ１に処理を戻す。判定部１９は、電源スイッチがオフにされたと判定した場合（ステップＳ９でＹＥＳ）、判定処理を終了する。判定部１９は、キーの押下を検出したか否かを判定するステップＳ８において、キーの押下を検出したと判定した場合（ステップＳ８でＹＥＳ）、いずれのキーが押下されたかを判定する（ステップＳ１２）。判定部１９は、操作部２０の変更キーが押下されたと判定した場合（ステップＳ１２の”変更”）、パスワード変更処理を行い（ステップＳ１３）、電源スイッチがオフされたか否かを判定するステップＳ９に処理を移す。判定部１９は、操作部２０の登録キーが押下されたと判定した場合（ステップＳ１２の”登録”）、機器登録処理を行い（ステップＳ１４）、電源スイッチがオフされたか否かを判定するステップＳ９に処理を移す。
【００４０】
判定部１９は、操作部２０の削除キーが押下されたと判定した場合（ステップＳ１２の”削除”）、機器削除処理を行い（ステップＳ１５）、電源スイッチがオフされたか否かを判定するステップＳ９に処理を移す。判定部１９は、操作部２０のモードキーが押下されたと判定した場合（ステップＳ１２の”モード”）、モード変更処理を行い（ステップＳ１６）、電源スイッチがオフされたか否かを判定するステップＳ９に処理を移す。判定処理として、読み取った入力端子番号及びパラメータデータが登録機器の入力端子番号及びパラメータデータと一致するか否かを判定する例を示したが、パラメータデータについてのみ一致するか否かを判定するようにしてもよい。また、登録機器と一致せず映像の投射を停止させて報知する場合、非認証報知画面を投射させる例を示したが、これに限るものではなく、プロジェクタ１に設けたＬＥＤ（Ｌｉｇｈｔ  Ｅｍｉｔｔｉｎｇ  Ｄｉｏｄｅ）等を発光させても良い。
【００４１】
図８は、パスワード変更処理の手順を示すフローチャートである。パスワードは、パスワードの変更、機器の登録及び削除、並びに認証モード／通常モードの切替を行う操作を受付けた場合に、各操作に対応する処理を実行するか否かを判定するために判定部１９のＥＥＰＲＯＭ１９ｃに記憶されている複数桁の数字等からなる文字列である。判定部１９は、パスワード入力画面の画面データをＲＯＭ１９ｂから読出し、投射デバイス制御部１８に出力してパスワード入力画面を投影させる（ステップＳ２０）。パスワード入力画面として、例えば、パスワードの入力を使用者に促すメッセージである「パスワードを入力してください。」及びパスワードを入力するためのフィールド等を表示すると良い。
【００４２】
判定部１９は、使用者により操作部２０のテンキー等を用いて入力されたパスワードを受付ける（ステップＳ２１）。判定部１９は、受付けたパスワードがＥＥＰＲＯＭ１９ｃに記憶されているパスワードと一致するか否かを判定する（ステップＳ２２）。判定部１９は、受付けたパスワードがＥＥＰＲＯＭ１９ｃに記憶されているパスワードと一致すると判定した場合（ステップＳ２２でＹＥＳ）、パスワード変更画面の画面データをＲＯＭ１９ｂから読出し、投射デバイス制御部１８に出力してパスワード変更画面を投射させる（ステップＳ２３）。パスワード変更画面として、例えば、新たに設定するパスワードの入力を促すメッセージである「新しく設定するパスワードを入力してください」及びパスワードを入力するためのフィールド等を表示すると良い。判定部１９は、使用者により操作部２０のテンキー等を用いて入力されたパスワードを受付ける（ステップＳ２４）。判定部１９は、ＥＥＰＲＯＭ１９ｃに記憶されているパスワードを、受付けたパスワードに書き換えて変更し（ステップＳ２５）、パスワード変更処理を終了する。
【００４３】
判定部１９は、入力されたパスワードがＥＥＰＲＯＭ１９ｃに記憶されているパスワードと一致するか否かを判定するステップＳ２２において、一致しないと判定した場合（ステップＳ２２でＮＯ）、パスワードが一致しない旨を通知するパスワードエラー報知画面のデータをＲＯＭ１９ｂから読出し、投射デバイス制御部１８に出力してパスワードエラー報知画面を投影させて（ステップＳ２６）、パスワード変更処理を終了する。パスワードエラー報知画面として、例えばメッセージ「パスワードが一致しません。」を表示すると良い。
【００４４】
図９は、機器登録処理の手順を示すフローチャートである。判定部１９は、パスワード入力画面の画面データをＲＯＭ１９ｂから読出し、投射デバイス制御部１８に出力してパスワード入力画面を投影させる（ステップＳ３０）。判定部１９は、使用者により操作部２０のテンキー等を用いて入力されたパスワードを受付ける（ステップＳ３１）。判定部１９は、入力されたパスワードがＥＥＰＲＯＭ１９ｃに記憶されているパスワードと一致するか否かを判定する（ステップＳ３２）。判定部１９は、一致すると判定した場合（ステップＳ３２でＹＥＳ）、投射デバイス制御部１８を制御して投射デバイス１３に外部映像機器２から与えられた入力信号による映像画面を出力させて映像を投射させる（ステップＳ３３）。判定部１９は、接続確認画面の画面データをＲＯＭ１９ｂから読出し、投射デバイス１３に出力して映像画面に重畳させ、接続確認画面のＯＳＤ表示を行わせる（ステップＳ３４）。
【００４５】
接続確認画面として、例えばメッセージ「登録する機器を接続し、映像が正しく表示されていることを確認してください。」が表示されており、使用者による確認を受付けるために例えば「確認」と表示されたソフトウェアボタンを備えると良い。判定部１９は、操作部２０による操作を受付ける（ステップＳ３５）。判定部１９は、外部映像機器２の映像が正しく投射されていることを使用者が確認して操作した「確認」の選択操作を受付けたか否かを判定する（ステップＳ３６）。「確認」の選択操作を受付けていないと判定した場合（ステップＳ３６でＮＯ）、操作を受付けるステップＳ３５に処理を戻す。判定部１９は、「確認」の選択操作を受付けたと判定した場合（ステップＳ３６でＹＥＳ）、映像処理部１７から出力されるパラメータデータ及び入力切替部１６から出力される入力端子番号を読み取る（ステップＳ３７）。判定部１９は、読み取ったパラメータデータ及び入力端子番号をＥＥＰＲＯＭ１９ｃに追加記憶し（ステップＳ３８）、機器登録処理を終了する。
【００４６】
判定部１９は、入力されたパスワードがＥＥＰＲＯＭ１９ｃに記憶されているパスワードと一致するか否かを判定するステップＳ３２において、一致しないと判定した場合（ステップＳ３２でＮＯ）、ＲＯＭ１９ｂからパスワードエラー報知画面のデータを読出して投射デバイス制御部１８に出力し、パスワードエラー報知画面を投射させて（ステップＳ３９）、機器登録処理を終了する。
【００４７】
図１０は、機器削除処理の手順を示すフローチャートである。判定部１９は、削除確認画面の画面データをＲＯＭ１９ｂから読出して投射デバイス制御部１８に出力し、接続確認画面を投射させる（ステップＳ５０）。接続確認画面として、例えばメッセージ「登録を削除する機器を接続して映像が正しく表示されているか確認した後、削除キーを押してください。」を表示させ、「削除」及び「中止」と表示されたソフトウェアボタンを備えると良い。判定部１９は、映像処理部１７から出力されるパラメータデータ及び入力切替部１６から出力される入力端子番号を読み取る（ステップＳ５１）。判定部１９は、読み取った入力端子番号がＥＥＰＲＯＭ１９ｃに記憶されている入力端子番号と一致するか否かを判定する（ステップＳ５２）。
【００４８】
判定部１９は、読み取った入力端子番号がＥＥＰＲＯＭ１９ｃに記憶されている入力端子番号と一致すると判定した場合（ステップＳ５２でＹＥＳ）、映像処理部１７から読み取ったパラメータデータが、ＥＥＰＲＯＭ１９ｃに記憶されている該当する入力端子番号に対応した登録機器のパラメータデータと一致するか否かを判定する（ステップＳ５３）。判定部１９は、登録機器のパラメータデータと一致すると判定した場合（ステップＳ５３でＹＥＳ）、投射デバイス制御部１８を制御して映像処理部１７から与えられる映像デジタル信号による映像画面を投射デバイス１３に出力させて映像を投射させる（ステップＳ５４）。判定部１９は、操作部２０による操作を受付ける（ステップＳ５５）。判定部１９は、「削除」が選択されたか否かを判定し（ステップＳ５６）、「削除」が選択されていないと判定した場合（ステップＳ５６でＮＯ）、パラメータデータ及び入力端子番号を読み取るステップＳ５１に処理を戻す。
【００４９】
判定部１９は、「削除」が選択されたと判定した場合（ステップＳ５６でＹＥＳ）、読み取ったパラメータデータ及び入力端子番号と一致するＥＥＰＲＯＭ１９ｃに記憶されているパラメータデータ及び入力端子番号を削除する（ステップＳ５７）。判定部１９は、ミュート画面を投射デバイス制御部１８に出力しミュート画面を投射させて、外部映像機器２から与えられた入力信号による映像の投射を停止する（ステップＳ５８）。判定部１９は、登録機器を削除した旨を報知する削除報知画面の画面データをＲＯＭ１９ｂから読出し、投射デバイス制御部１８に出力し、ミュート画面にＯＳＤ表示させ投射させ（ステップＳ５９）、機器削除処理を終了する。削除報知画面には、例えばメッセージ「現在接続されている機器は、登録機器から正常に削除されました」を表示すると良い。
【００５０】
記憶されている入力端子番号と一致するか否かを判定するステップＳ５２において一致しないと判定した場合（ステップＳ５２でＮＯ）及び登録機器のパラメータデータと一致するか否かを判定するステップＳ５３において一致しないと判定した場合（ステップＳ５３でＮＯ）、判定部１９は、操作部２０による操作を受付ける（ステップＳ６０）。判定部１９は、「中止」が選択されたか否かを判定し（ステップＳ６１）、「中止」が選択されたと判定した場合（ステップＳ６１でＮＯ）、パラメータデータ及び入力端子番号を読み取るステップＳ５１に処理を戻す。判定部１９は、「中止」が選択されたと判定した場合（ステップＳ６１でＹＥＳ）、機器削除処理を終了する。
【００５１】
図１１は、モード変更処理の手順を示すフローチャートである。判定部１９は、認証モードに設定されているか否かを判定する（ステップＳ７１）。判定部１９は、認証モードに設定されている場合（ステップＳ７１でＹＥＳ）、パスワード入力画面の画面データをＲＯＭ１９ｂから読出し、投射デバイス制御部１８に出力してパスワード入力画面を投影させる（ステップＳ７２）。判定部１９は、使用者により操作部２０のテンキー等を用いて入力されたパスワードを受付ける（ステップＳ７３）。判定部１９は、入力されたパスワードがＥＥＰＲＯＭ１９ｃに記憶されているパスワードと一致するか否かを判定する（ステップＳ７４）。判定部１９は、一致すると判定した場合（ステップＳ７４でＹＥＳ）、通常モードに設定し（ステップＳ７５）、モード変更処理を終了する。
【００５２】
判定部１９は、一致しないと判定した場合（ステップＳ７４でＮＯ）、パスワードエラー報知画面の画面データをＲＯＭ１９ｂから読出し、投射デバイス制御部１８に出力してパスワードエラー報知画面を投射させ（ステップＳ７６）、モード変更処理を終了する。判定部１９は、認証モードに設定されているか否かを判定するステップＳ７１において、認証モードに設定されていないと判定した場合（ステップＳ７１でＮＯ）、認証モードに設定し（ステップＳ７７）、モード変更処理を終了する。
【００５３】
プロジェクタ１は、映像が投射される外部映像機器２が特定されるため、盗まれた場合に商品価値が下がり、盗難される可能性を低減する。また、映像の投射を認証する外部映像機器２の入力信号のパラメータデータをＥＥＰＲＯＭ１９ｃに記憶させた後は、認証する外部映像機器２を接続して与えられた入力信号のみで認証を行うことができるため、パスワード入力等の煩雑な操作を必要とせず、高い利便性が得られる。
【００５４】
映像の投射を行う機器を認証するためにパラメータデータ及び入力端子番号を照合する例を示したが、パラメータデータのみを照合しても良い。判定部１９は、読み取ったパラメータデータを構成する垂直同期周波数ｆv 、水平同期周波数ｆh 、垂直同期信号の極性、水平同期信号の極性、垂直同期幅ｔv1、水平同期幅ｔh1、垂直バックポーチｔv2、水平バックポーチｔh2並びに映像信号区間ｔs が、ＥＥＰＲＯＭ１９ｃに記憶されたパラメータデータを構成する夫々のデータと全て一致するか否かを判定する例を示したが、これに限るものではなく、これらのうち幾つかを省略しても良い。
【００５５】
説明のため入力信号が複合同期信号で与えられる例を示したが、これに限るものではなく、同期信号が映像信号と独立して水平同期信号及び垂直同期信号、若しくは水平同期信号と垂直同期信号が複合された同期信号を伴う分離同期式の入力信号でも良い。
【００５６】
判定部１９は、読み取ったパラメータデータを構成する各データがＥＥＰＲＯＭ１９ｃに記憶されたパラメータデータの各データと完全に一致するか否かを判定する例を示した。しかし、外部映像機器２からの垂直同期周波数ｆv 、水平同期周波数ｆh 、並びに垂直及び水平同期信号の極性等は、時間の経過に対して若干の変動が発生する場合があるため、所定の尤度を設けて判定するようにしても良いのは言うまでもない。
【００５７】
プロジェクタ１は、３種類の映像入力端子を備える例を示したが、これに限るものではなく、４種類以上又は３種類未満であっても良い。また、キセノンランプ又は超高圧水銀ランプ等の光源１１を備えたプロジェクタ１を例として示したが、光源１１にＬＥＤを用いたプロジェクタであっても良い。
【図面の簡単な説明】
【００５８】
【図１】本発明におけるプロジェクタの構成を示すブロック図である。
【図２】入力信号に含まれる同期信号及び映像信号の対応関係を示すタイミングチャートである。
【図３】映像処理部の構成を示すブロック図である。
【図４】パラメータデータ及び入力端子番号のフォーマット例を示す説明図である。
【図５】判定処理の手順を示すフローチャートである。
【図６】判定処理の手順を示すフローチャートである。
【図７】非認証報知画面の例を示す模式図である。
【図８】パスワード変更処理の手順を示すフローチャートである。
【図９】機器登録処理の手順を示すフローチャートである。
【図１０】機器削除処理の手順を示すフローチャートである。
【図１１】モード変更処理の手順を示すフローチャートである。
【符号の説明】
【００５９】
１  プロジェクタ
２  外部映像機器
３  スクリーン
１１  光源
１２  集光光学系
１３  投射デバイス
１４  投射光学系
１５ａ、１５ｂ、１５ｃ  映像入力端子
１６  入力切替部
１７  映像処理部
１８  投射デバイス制御部
１９  判定部
１９ａ  ＣＰＵ
１９ｂ  ＲＯＭ
１９ｃ  ＥＥＰＲＯＭ
２０  操作部
【図１】
2008170809.tif 000003
【図２】
2008170809.tif 000004
【図３】
2008170809.tif 000005
【図４】
2008170809.tif 000006
【図５】
2008170809.tif 000007
【図６】
2008170809.tif 000008
【図７】
2008170809.tif 000009
【図８】
2008170809.tif 000010
【図９】
2008170809.tif 000011
【図１０】
2008170809.tif 000012
【図１１】
2008170809.tif 000013